(57)【要約】【課題】本発明は、シート状構造体の製造システム及び製造方法を提供することを目的とする。【解決手段】シート状構造体の製造システム２は、一のコード部材２０に略Ｕ字状である弛み部５を複数形成すると共に、複数の弛み部５のそれぞれを繋ぐ略直線状の直線部６を複数形成する弛み部形成部５０と、複数の吸収部材１０のそれぞれと、複数の直線部６のそれぞれとを一の糸部材３０で縫着する縫着手段と、を備える。【選択図】図５
2007202750.tif 000002
【特許請求の範囲】
【請求項１】
所定形状のシート部材と、所定の糸部材により前記シート部材の所定面に縫着されると共に前記所定面の外縁から延出し前記所定の糸部材を含まない非縫い部が形成される延出部を有するコード部材と、を備えるシート状構造体の製造システムであって、
所定方向に繰り出された一のコード部材に前記所定方向とは異なる方向に突出する略Ｕ字状である弛み部を複数形成すると共に、前記複数の弛み部のそれぞれを繋ぐ略直線状の直線部を複数形成する弛み部形成手段と、
前記弛み部形成手段により形成される前記複数の直線部のそれぞれに、前記複数のシート部材のそれぞれを当接可能に配置する配置手段と、
前記配置手段により配置される複数のシート部材のそれぞれと、前記複数のシート部材のそれぞれに当接可能な複数の直線部のそれぞれとを一の糸部材で縫着する縫着手段と、
前記縫着手段により前記複数の直線部のそれぞれが縫着された前記複数のシート部材における所定のシート部材と前記所定のシート部材に隣接する他のシート部材とを繋ぐように形成される前記一の糸部材の一部である糸連結部を切断する糸部材切断手段と、
前記複数のシート部材における所定のシート部材と該所定のシート部材に隣接するシート部材とを繋ぐように形成される前記一のコード部材の一部であるコード連結部を所定の位置で切断するコード部材切断手段と、を備えるシート状構造体の製造システム。
【請求項２】
前記コード部材を前記所定方向に繰り出すコード部材繰り出し手段と、を更に備える請求項１に記載の製造システム。
【請求項３】
前記弛み部形成手段は、前記複数の直線部を、所定間隔で略直線状に並んで配置させる
請求項１又は２に記載の製造システム。
【請求項４】
前記縫着手段は、前記一の糸部材により、前記弛み部形成手段により前記所定間隔で略直線状に並んで配置された前記複数の直線部それぞれを、該複数の直線部が形成する直線に沿うように前記複数のシート部材それぞれに連続して縫着する請求項３に記載の製造システム。
【請求項５】
前記コード部材切断手段は、前記コード連結部を略直線状に伸ばす手段を備える請求項１から４のいずれかに記載の製造システム。
【請求項６】
前記シート状構造体は、前記延出部の自由端側に形成され前記所定の糸部材を含む縫い部と、を更に備え、
前記弛み部形成手段は、前記複数の直線部のそれぞれの前記所定方向への長さを、前記配置手段により前記複数の直線部のそれぞれに当接可能に配置された前記複数のシート部材のそれぞれにおける前記所定方向の長さよりも長くする請求項１から５に記載の製造システム。
【請求項７】
前記シート部材が所定の液吸収性の吸収層と、前記吸収層を薄膜状の表面材で被覆したシート状の吸収部材であって、
前記吸収層を前記表面材で被覆するシート部材形成手段と、を更に備える
請求項１から５に記載の製造システム。
【請求項８】
所定形状のシート部材と、所定の糸部材により前記シート部材の所定面に縫着されると共に前記所定面の外縁から延出し前記所定の糸部材を含まない非縫い部が形成される延出部を有するコード部材と、を含むシート状構造体の製造方法であって、
所定方向に繰り出された一のコード部材に前記所定方向とは異なる方向に突出する略Ｕ字状である弛み部を複数形成すると共に、前記複数の弛み部のそれぞれを繋ぐ略直線状の直線部を複数形成する弛み部形成工程と、
前記弛み部形成工程により形成される前記複数の直線部のそれぞれに、前記複数のシート部材のそれぞれを当接可能に配置する配置工程と、
前記配置工程により配置される複数のシート部材のそれぞれと、前記複数のシート部材のそれぞれに当接可能な複数の直線部のそれぞれとを一の糸部材で縫着する縫着工程と、
前記縫着工程により前記複数の直線部のそれぞれが縫着された前記複数のシート部材における所定のシート部材と前記所定のシート部材に隣接する他のシート部材とを繋ぐように形成される前記一の糸部材の一部である糸連結部を切断する糸部材切断工程と、
前記複数のシート部材における所定のシート部材と該所定のシート部材に隣接するシート部材とを繋ぐように形成される前記一のコード部材の一部であるコード連結部を所定の位置で切断するコード部材切断工程と、を含むシート状構造体の製造方法。
【請求項９】
前記コード部材を前記所定方向に繰り出すコード部材繰り出し工程と、を更に含む請求項８に記載の製造方法。
【請求項１０】
前記弛み部形成工程において、前記複数の直線部を、所定間隔で略直線状に並んで配置させる工程を含む請求項８又は９に記載の製造方法。
【請求項１１】
前記縫着工程は、前記一の糸部材により、前記弛み部形成工程により前記所定間隔で略直線状に並んで配置された前記複数の直線部それぞれを、該複数の直線部が形成する直線に沿うように前記複数のシート部材それぞれに連続して縫着する請求項１０に記載の製造方法。
【請求項１２】
前記コード部材切断工程は、前記コード連結部を略直線状に伸ばす工程を含む請求項８から１１のいずれかに記載の製造方法。
【請求項１３】
前記シート状構造体は、前記延出部の自由端側に形成され所定の糸部材を含む縫い部と、を備え、
前記弛み部形成工程は、前記直線部の長さを、前記配置手段により前記コード部材に当接可能に配置されたシート部材における前記所定方向の長さよりも長く形成する請求項８から１２のいずれか記載の製造方法。
【請求項１４】
前記シート部材が所定の液吸収性の吸収層と、前記吸収層を薄膜状の表面材で被覆したシート状の吸収部材であって、
前記吸収層を前記表面材で被覆するシート部材形成工程と、を更に含む請求項８から１３のいずれかに記載の製造方法。
【発明の詳細な説明】
【技術分野】
【０００１】
本発明は、所定形状のシート部材と所定のコード部材とからなるシート状構造体の製造システム及び製造方法に関する。
【背景技術】
【０００２】
従来より、所定形状のシート部材に所定のコード部材が縫着されたシート状構造体における縫着処理は、コード部材とシート部材とをしっかりと縫着するため該コード部材の長手方向に沿って縫着処理される。例えば、大量のシート状構造体を連続的に製造する場合には、一のコード部材を直線状に繰り出し、複数のシート部材をコード部材に当接するように所定間隔で配置し、一の縫い糸により連続的に縫着処理する。そして、各シート部材を繋ぐように配置されるコード部材を切断することで所定のシート状構造体を得ることができる。この場合、コード部材にはシート部材との縫着部から連続する縫い部が一の糸部材で形成される。ここで、例えば、シート状構造体におけるコード部材の自由端から糸部材が抜け始めてシート部材に縫着された糸部材まで抜けてしまうという問題があった。
【０００３】
これらの問題を解決するため、縫い糸の抜け及び縫い糸の抜けによるコード部材とシート部材との分離を抑制するため、シート状の吸収部材とコード部材を二重環縫いにより、後端であるコード部材の自由端側から、先端である吸収部材に向かって縫われたタンポン用吸収部材が提案されている（例えば、特許文献１参照）。
【特許文献１】実用新案登録第２５３４８３９号公報
【発明の開示】
【発明が解決しようとする課題】
【０００４】
ここで、特許文献１における吸収部材は、二重環縫によりコード部材後端であるコード部材の自由端側から、先端である吸収部材に向かって縫われることで、二重環縫の特徴を利用して縫い糸の抜けを抑制している。つまり、二重環縫は、末端の縫い目が解れた場合、縫い終わり部分の下糸のみを引っ張った場合には下糸が抜けてしまい縫い目全体が解けてしまうおそれがあるが、縫い始め部分の下糸を引っ張っても縫い目全体が解けることはないという特徴がある。特許文献１における吸収部材はこの特徴を利用して、後端である延出部の自由端からの糸抜けによる糸部材全体の抜けを抑制している。
【０００５】
しかし、特許文献１の吸収部材においても、糸部材はシート部材からコード部材まで連続しているので完全には上記糸抜けを抑制できるわけではない。また、タンポン用吸収部材としては、経血が縫い糸を伝って延出部の自由端側に漏れ出る場合がある。更には、製造工程において、縫着及び縫い部が、吸収部材における先端からコード部材の延出部の自由端である後端まで連続して形成されている。このため、必要以上の縫い糸を使用していること、また、縫着処理工程に必要以上の時間を労しているという課題がある。そして、これらが本発明の課題といってよい。
【０００６】
本発明は、以上のような課題に鑑みてなされたものであり、所定形状のシート部材と、所定の糸部材により前記シート部材の所定面に縫着されると共に所定面の外縁から延出し所定の糸部材を含まない非縫い部が形成される延出部を有するコード部材と、を備えるシート状構造体の製造システム及び製造方法を提供することを目的とする。
【課題を解決するための手段】
【０００７】
本発明者は、所定形状のシート部材と、所定の糸部材によりシート部材の所定面に縫着されると共に所定面の外縁から延出し所定の糸部材を含まない非縫い部が形成される延出部を有するコード部材とを備えるシート状構造体に適した製造システム及び製造方法を見出し、本発明を完成させた。
【０００８】
（１）  所定形状のシート部材と、所定の糸部材により前記シート部材の所定面に縫着されると共に前記所定面の外縁から延出し前記所定の糸部材を含まない非縫い部が形成される延出部を有するコード部材と、を備えるシート状構造体の製造システムであって、所定方向に繰り出された一のコード部材に前記所定方向とは異なる方向に突出する略Ｕ字状である弛み部を複数形成すると共に、前記複数の弛み部のそれぞれを繋ぐ略直線状の直線部を複数形成する弛み部形成手段と、前記弛み部形成手段により形成される前記複数の直線部のそれぞれに、前記複数のシート部材のそれぞれを当接可能に配置する配置手段と、前記配置手段により配置される複数のシート部材のそれぞれと、前記複数のシート部材のそれぞれに当接可能な複数の直線部のそれぞれとを一の糸部材で縫着する縫着手段と、前記縫着手段により前記複数の直線部のそれぞれが縫着された前記複数のシート部材における所定のシート部材と前記所定のシート部材に隣接する他のシート部材とを繋ぐように形成される前記一の糸部材の一部である糸連結部を切断する糸部材切断手段と、前記複数のシート部材における所定のシート部材と該所定のシート部材に隣接するシート部材とを繋ぐように形成される前記一のコード部材の一部であるコード連結部を所定の位置で切断するコード部材切断手段と、を備えるシート状構造体の製造システム。
【０００９】
（１）の発明によれば、シート状構造体の製造システムは、所定形状のシート部材と、所定の糸部材によりシート部材の所定面に縫着されると共に所定面の外縁から延出し所定の糸部材を含まない非縫い部が形成される延出部を有するコード部材とを備えるシート状構造体の製造システムである。このシート状構造体の製造システムは、所定方向に繰り出された一のコード部材に所定方向とは異なる方向に突出する略Ｕ字状である弛み部を複数形成すると共に、複数の弛み部のそれぞれを繋ぐ略直線状の直線部を複数形成する弛み部形成手段と、弛み部形成手段により形成される複数の直線部のそれぞれに、複数のシート部材のそれぞれを当接可能に配置する配置手段と、配置手段により配置される複数のシート部材のそれぞれと、複数のシート部材のそれぞれに当接可能な複数の直線部のそれぞれとを一の糸部材で縫着する縫着手段と、縫着手段により複数の直線部のそれぞれが縫着された複数のシート部材における所定のシート部材と所定のシート部材に隣接する他のシート部材とを繋ぐように形成される一の糸部材の一部である糸連結部を切断する糸部材切断手段と、複数のシート部材における所定のシート部材と該所定のシート部材に隣接するシート部材とを繋ぐように形成される一のコード部材の一部であるコード連結部を所定の位置で切断するコード部材切断手段と、を備える。
【００１０】
本発明における製造システムが製造する対象は、所定形状のシート部材と、所定の糸部材によりシート部材の所定面に縫着されると共に所定面の外縁から延出し所定の糸部材を含まない非縫い部が形成される延出部を有するコード部材と、を備えるシート状構造体である。該シート状構造体におけるシート部材は、略シート状の部材であって、所定の糸部材によりコード部材を縫着可能な材料で構成されていれば良く、例えば、布部材、ラバー部材や、上述したタンポン用吸収部材を構成するシート状の吸収部材を例示できる。このシート部材に縫着されるコード部材は、シート部材に縫着可能な材料で構成されていれば良く、例えば、天然又は合成繊維により構成される紐、樹脂性のコード、所定径以上の糸、及び上述の複数の糸を縒り合わせて形成した複合糸等を例示できる。また、糸部材は、シート部材とコード部材とを縫着可能な材料で形成され、かつ所定径より細い部材であれば良く、例えば、天然素材で形成される糸、合成繊維等の糸及び細い針金等を例示できる。
【００１１】
弛み部形成手段、例えば、糸部材が巻回された糸供給部から所定方向に繰り出された一のコード部材に、この所定方向とは異なる方向に突出する略Ｕ字状である弛み部を複数形成する。そして、この形成された複数の弛み部のそれぞれを繋ぐ略直線状の直線部を複数形成する。これら形成された弛み部がシート状構造体における延出部となり、直線部がシート部材に縫着される部分となる。
【００１２】
配置手段は、弛み部形成手段により形成される複数の直線部のそれぞれに、複数のシート部材のそれぞれを当接可能に配置する。このように配置することで、後述の縫着手段により連続的に縫着することができる。
【００１３】
縫着手段は、配置手段により配置される複数のシート部材のそれぞれと、複数のシート部材のそれぞれに当接可能な複数の直線部のそれぞれとを一の糸部材で縫着する。例えば、所定のミシンにより、シート部材に当接されたコード部材に沿って次々に縫着することで、シート部材とコード部材を縫着すると共に、弛み部におけるコード部材は縫着しない。これにより、延出部になる弛み部を構成するコード部材に非縫い部を形成することができる。
【００１４】
糸部材切断手段は、縫着手段により複数の直線部のそれぞれが縫着された複数のシート部材における所定のシート部材と所定のシート部材に隣接する他のシート部材とを繋ぐように形成される一の糸部材の一部である糸連結部を切断する。更に、コード部材切断手段は、複数のシート部材における所定のシート部材と該所定のシート部材に隣接するシート部材とを繋ぐように形成される一のコード部材の一部であるコード連結部を所定の位置で切断する。ここで、糸部材切断手段とコード部材切断手段とは、工程における先後は問わず又同時でも良い。例えば、糸部材切断手段及びコード部材切断手段を同一のカット部とし、糸連結部及びコード連結部を同時に切断することができる。
【００１５】
糸部材切断手段又はコード部材切断手段は、例えば、所定のカッター部材や、所定面に凸状の刃が形成されたロール部材等を例示できる。
【００１６】
（２）  前記コード部材を前記所定方向に繰り出すコード部材繰り出し手段と、を更に備える（１）に記載の製造システム。
【００１７】
（２）の発明によれば、シート状構造体の製造システムは、コード部材を前記所定方向に繰り出すコード部材繰り出し手段と、を更に備える。これにより、連続して糸部材を所定方向に供給することができる。
【００１８】
（３）  前記弛み部形成手段は、前記複数の直線部を、所定間隔で略直線状に並んで配置させる（１）又は（２）に記載の製造システム。
【００１９】
（３）の発明によれば、シート状構造体の製造システムは、弛み部形成手段が、複数の直線部を、所定間隔で略直線状に並んで配置させる。これにより、縫着手段による縫着処理を簡易にすることができる。
【００２０】
（４）  前記縫着手段は、前記一の糸部材により、前記弛み部形成手段により前記所定間隔で略直線状に並んで配置された前記複数の直線部それぞれを、該複数の直線部が形成する直線に沿うように前記複数のシート部材それぞれに連続して縫着する（３）に記載の製造システム。
【００２１】
（４）の発明によれば、シート状構造体の製造システムは、縫着手段が、弛み部形成手段により所定間隔で略直線状に並んで配置された複数の直線部それぞれを、の糸部材によって複数の直線部が形成する直線に沿うように一前記複数のシート部材それぞれに連続して縫着する。これにより、縫着手段による縫着処理を簡易にすることができると共に、正確な縫着を継続して行うことができる。
【００２２】
（５）  前記コード部材切断手段は、前記コード連結部を略直線状に伸ばす手段を備える（１）から（４）のいずれかに記載の製造システム。
【００２３】
（５）の発明によれば、シート状構造体の製造システムは、コード部材切断手段が、コード連結部を略直線状に伸ばす手段を備える。これにより、コード連結部を構成するコード部材を切断しやすくなると共に、コード連結部により形成される延出部の長さを一定にすることができる。
【００２４】
（６）  前記シート状構造体は、前記延出部の自由端側に形成され前記所定の糸部材を含む縫い部と、を更に備え、前記弛み部形成手段は、前記複数の直線部のそれぞれの前記所定方向への長さを、前記配置手段により前記複数の直線部のそれぞれに当接可能に配置された前記複数のシート部材のそれぞれにおける前記所定方向の長さよりも長くする（１）から（５）に記載の製造システム。
【００２５】
（６）の発明によれば、シート状構造体の製造システムは、シート状構造体が、延出部の自由端側に形成され所定の糸部材を含む縫い部と、を更に備える。そして、弛み部形成手段は、複数の直線部のそれぞれの所定方向への長さを、配置手段により複数の直線部のそれぞれに当接可能に配置された複数のシート部材のそれぞれにおける所定方向の長さよりも長くする。これにより、直線部にシート部材を当接するように配置した状態で、縫着手段により直線部に沿って縫着処理することで、コード部材をシート部材に縫着すると共に、該直線部におけるシート部材から延出する部分にも所定の糸部材により縫着処理された部分を形成することができる。そして、その縫着処理された部分における所定部を切断することで、該シート部材に隣接するシート部材の延出部における自由端側に所定の糸部材を含む縫い部を形成することができる。
【００２６】
（７）  前記シート部材が所定の液吸収性の吸収層と、前記吸収層を薄膜状の表面材で被覆したシート状の吸収部材であって、前記吸収層を前記表面材で被覆するシート部材形成手段と、を更に備える（１）から（５）に記載の製造システム。
【００２７】
（７）の発明によれば、シート状構造体の製造システムは、吸収層を表面材で被覆するシート部材形成手段と、を更に備える。これにより、例えば、繊維状の吸収層を該繊維状の吸収層がばらけない様に表面材で被覆することでシート状に形成し、該シート状に形成されたシート状の吸収部材に上述のコード部材等を縫着することができる。
【００２８】
（８）  所定形状のシート部材と、所定の糸部材により前記シート部材の所定面に縫着されると共に前記所定面の外縁から延出し前記所定の糸部材を含まない非縫い部が形成される延出部を有するコード部材と、を含むシート状構造体の製造方法であって、所定方向に繰り出された一のコード部材に前記所定方向とは異なる方向に突出する略Ｕ字状である弛み部を複数形成すると共に、前記複数の弛み部のそれぞれを繋ぐ略直線状の直線部を複数形成する弛み部形成工程と、前記弛み部形成工程により形成される前記複数の直線部のそれぞれに、前記複数のシート部材のそれぞれを当接可能に配置する配置工程と、前記配置工程により配置される複数のシート部材のそれぞれと、前記複数のシート部材のそれぞれに当接可能な複数の直線部のそれぞれとを一の糸部材で縫着する縫着工程と、前記縫着工程により前記複数の直線部のそれぞれが縫着された前記複数のシート部材における所定のシート部材と前記所定のシート部材に隣接する他のシート部材とを繋ぐように形成される前記一の糸部材の一部である糸連結部を切断する糸部材切断工程と、前記複数のシート部材における所定のシート部材と該所定のシート部材に隣接するシート部材とを繋ぐように形成される前記一のコード部材の一部であるコード連結部を所定の位置で切断するコード部材切断工程と、を含むシート状構造体の製造方法。
【００２９】
（８）の発明によれば、シート状構造体の製造方法は、所定形状のシート部材と、所定の糸部材によりシート部材の所定面に縫着されると共に所定面の外縁から延出し所定の糸部材を含まない非縫い部が形成される延出部を有するコード部材と、を含むシート状構造体の製造方法である。このシート状構造体の製造方法は、所定方向に繰り出された一のコード部材に所定方向とは異なる方向に突出する略Ｕ字状である弛み部を複数形成すると共に、複数の弛み部のそれぞれを繋ぐ略直線状の直線部を複数形成する弛み部形成工程と、弛み部形成手段により形成される複数の直線部のそれぞれに、複数のシート部材のそれぞれを当接可能に配置する配置工程と、配置手段により配置される複数のシート部材のそれぞれと、複数のシート部材のそれぞれに当接可能な複数の直線部のそれぞれとを一の糸部材で縫着する縫着工程と、縫着工程により複数の直線部のそれぞれが縫着された複数のシート部材における所定のシート部材と所定のシート部材に隣接する他のシート部材とを繋ぐように形成される一の糸部材の一部である糸連結部を切断する糸部材切断工程と、複数のシート部材における所定のシート部材と該所定のシート部材に隣接するシート部材とを繋ぐように形成される一のコード部材の一部であるコード連結部を所定の位置で切断するコード部材切断工程と、を含む。
【００３０】
本発明における製造方法により製造される対象は、所定形状のシート部材と、所定の糸部材によりシート部材の所定面に縫着されると共に所定面の外縁から延出し所定の糸部材を含まない非縫い部が形成される延出部を有するコード部材と、を含むシート状構造体である。該シート状構造体におけるシート部材は、略シート状の部材であって、所定の糸部材によりコード部材が縫着可能な材料で構成されていれば良く、例えば、布部材、ラバー部材や、上述したタンポン用吸収部材を構成するシート状の吸収部材を例示できる。このシート部材に縫着されるコード部材は、シート部材に縫着可能な材料で構成されていれば良く、例えば、天然又は合成繊維により構成される紐、樹脂製のコード、所定径以上の糸、及び上述の複数の糸を縒り合わせて形成した複合糸等を例示できる。また、糸部材は、シート部材とコード部材とを縫着可能な材料で形成され、かつ所定径より細い部材であれば良く、例えば、天然素材で形成される糸、合成繊維等の糸、細い針金等を例示できる。
【００３１】
弛み部形成工程は、例えば、糸部材が巻回された糸供給部から所定方向に繰り出された一のコード部材に、この所定方向とは異なる方向に突出する略Ｕ字状である弛み部を複数形成する。そして、この形成された複数の弛み部のそれぞれを繋ぐ略直線状の直線部を複数形成する。これら形成された弛み部がシート状構造体における延出部となり、直線部がシート部材に縫着される部分となる。
【００３２】
配置工程は、弛み部形成工程により形成される複数の直線部のそれぞれに、複数のシート部材のそれぞれを当接可能に配置する。このように配置することで、後述の縫着工程により連続的に縫着することができる。
【００３３】
縫着工程は、配置工程により配置される複数のシート部材のそれぞれと、複数のシート部材のそれぞれに当接可能な複数の直線部のそれぞれとを一の糸部材で縫着する。例えば、所定のミシンにより、シート部材に当接されたコード部材に沿って次々に縫着することで、シート部材とコード部材を縫着すると共に、弛み部におけるコード部材は縫着しない。これにより、延出部になるコード連結部を構成するコード部材に非縫い部を形成することができる。
【００３４】
糸部材切断工程は、縫着工程により複数の直線部のそれぞれが縫着された複数のシート部材における所定のシート部材と所定のシート部材に隣接する他のシート部材とを繋ぐように形成される一の糸部材の一部である糸連結部を切断する。更に、コード部材切断工程は、複数のシート部材における所定のシート部材と該所定のシート部材に隣接するシート部材とを繋ぐように形成される一のコード部材の一部であるコード連結部を所定の位置で切断する。ここで、糸部材切断工程とコード部材切断工程とは、工程における先後は問わず又同時でも良い。例えば、糸部材切断工程における糸部材切断手段及びコード部材切断工程におけるコード部材切断手段を同一のカット部とし、糸連結部及びコード連結部を同時に切断することができる。
【００３５】
糸部材切断工程又はコード部材切断工程における切断は、例えば、所定のカッター部材や、所定面に凸状の刃が形成されたロール部材等による切断を例示できる。
【００３６】
（９）  前記コード部材を前記所定方向に繰り出すコード部材繰り出し工程と、を更に含む（８）に記載の製造方法。
【００３７】
（９）の発明によれば、シート状構造体の製造方法は、コード部材を所定方向に繰り出すコード部材繰り出し工程と、を更に含む。これにより、連続して糸部材を所定方向に供給することができる。
【００３８】
（１０）  前記弛み部形成工程において、前記複数の直線部を、所定間隔で略直線状に並んで配置させる工程を含む（８）又は（９）に記載の製造方法。
【００３９】
（１０）の発明によれば、シート状構造体の製造方法は、弛み部形成工程が、複数の直線部を、所定間隔で略直線状に並んで配置させる。これにより、縫着工程による縫着処理を簡易にすることができる。
【００４０】
（１１）  前記縫着工程は、前記一の糸部材により、前記弛み部形成工程により前記所定間隔で略直線状に並んで配置された前記複数の直線部それぞれを、該複数の直線部が形成する直線に沿うように前記複数のシート部材それぞれに連続して縫着する（１０）に記載の製造方法。
【００４１】
（１１）の発明によれば、シート状構造体の製造方法は、縫着工程が、一の糸部材により、弛み部形成工程により所定間隔で略直線状に並んで配置された複数の直線部それぞれを、複数の直線部が形成する直線に沿うように前記複数のシート部材それぞれに連続して縫着する。これにより、縫着工程による縫着処理を簡易にすることができると共に、正確な縫着を継続して行うことができる。
【００４２】
（１２）  前記コード部材切断工程は、前記コード連結部を略直線状に伸ばす工程を含む（８）から（１１）のいずれかに記載の製造方法。
【００４３】
（１２）の発明によれば、シート状構造体の製造方法は、コード部材切断工程が、コード連結部を略直線状に伸ばす工程を含む。これにより、コード連結部を構成するコード部材を切断しやすくなると共に、コード連結部により形成される延出部の長さを一定にすることができる。
【００４４】
（１３）  前記シート状構造体は、前記延出部の自由端側に形成され所定の糸部材を含む縫い部と、を備え、前記弛み部形成工程は、前記直線部の長さを、前記配置手段により前記コード部材に当接可能に配置されたシート部材における前記所定方向の長さよりも長く形成する（８）から（１２）のいずれかに記載の製造方法。
【００４５】
（１３）の発明によれば、シート状構造体の製造方法は、シート状構造体が、延出部の自由端側に形成され所定の糸部材を含む縫い部と、を更に含む。そして、弛み部形成工程は、複数の直線部のそれぞれの所定方向への長さを、配置工程により複数の直線部のそれぞれに当接可能に配置された複数のシート部材のそれぞれにおける所定方向の長さよりも長くする。これにより、直線部にシート部材を当接するように配置した状態で、縫着工程により直線部に沿って縫着処理することで、コード部材をシート部材に縫着すると共に、該直線部におけるシート部材から延出する部分にも所定の糸部材により縫着処理された部分を形成することができる。そして、その縫着処理された部分における所定部を切断することで、該シート部材に隣接するシート部材の延出部における自由端側に所定の糸部材を含む縫い部を形成することができる。
【００４６】
（１４）  前記シート状部材が所定の液吸収性の吸収層と、前記吸収層を薄膜状の表面材で被覆したシート状の吸収部材であって、前記吸収層を前記表面材で被覆するシート部材形成工程と、を更に含む（８）から（１３）のいずれかに記載の製造方法。
【００４７】
（１４）の発明によれば、シート状構造体の製造方法は、吸収層を表面材で被覆するシート部材形成工程と、を更に含む。これにより、例えば、繊維状の吸収層を該繊維状の吸収層がばらけない様に表面材で被覆することでシート状に形成し、該シート状に形成されたシート状の吸収部材に上述のコード部材等を縫着することができる。
【発明の効果】
【００４８】
本発明は、所定形状のシート部材と、所定の糸部材により前記シート部材の所定面に縫着されると共に所定面の外縁から延出し所定の糸部材を含まない非縫い部が形成される延出部を有するコード部材と、を備えるシート状構造体の製造システム及び製造方法を提供することができる。
【発明を実施するための最良の形態】
【００４９】
以下、図面を参照して本発明を実施するための最良の形態を説明する。
【００５０】
図１は、第１例のシート状構造体における平面図である。図２は、図１におけるＸ―Ｘ´断面図である。図３は、第２例のシート状構造体における平面図である。図４は、従来のシート状構造体における平面図である。図５は、本発明の第１実施形態における製造システムを説明する図である。図６は、図５における領域Ａの拡大図である。図７は、図６における弛み部が形成される過程を説明する図である。図８は、図６で示される領域Ａの斜視図である。図９は、図５における領域Ｂの拡大図である。図１０は、図５における領域Ｃの拡大図である。図１１は、本発明の第２実施形態における製造システムを説明する図である。図１２は、本発明の第３実施形態における製造システムを説明する図である。図１３は、本発明の第４実施形態における製造システムを説明する図である。
【００５１】
［１］製造システム
図１から図１３により、本発明におけるシート状構造体の製造システムについて説明する。
【００５２】
［１．１］全体
図１から図１０に示すシート状構造体及び第１実施形態における製造システムにより、本発明の製造システムの全体構成について説明する。
【００５３】
「１．１．１」シート状構造体
本発明の製造システムにおける製造対象は、シート状部材と、所定の糸部材によりシート部材の所定面に縫着されると共に前記所定面の外縁から延出し前記所定の糸部材を含まない非縫い部が形成される延出部を有するコード部材と、を備えるシート状構造体である。例えば、図１から図３に示すように、第１実施形態におけるシート状構造体１は、シート状部材である平面矢羽状の吸収部材１０と、所定の糸部材３０により吸収部材１０の所定面に縫着されると共に該所定面の外縁から延出し糸部材３０を含まない非縫い部２２が形成される延出部２１を有するコード部材２０と、を備える。本実施形態におけるシート状構造体１は、タンポン用吸収体として使用することができる。
【００５４】
具体的には、図１又は図３に示すように、シート状構造体１は、平面矢羽状の吸収部材１０と、一部が吸収部材１０の所定面に幅方向の略中心において長手方向に延びるよう当接配置されると共に糸部材３０により縫着されるコード部材２０を備える。吸収部材１０の長手方向における長さよりも長いコード部材２０は、吸収部材１０の外縁から長手方向に延出する延出部２１を有する。ここで、例えば、シート状構造体１をタンポン用吸収体として使用する場合には、吸収部材１０を略円柱形に圧縮成型し、不図示のアプリケータに収納することができる。
【００５５】
図２示すように、シート状部材である吸収部材１０は、吸収性繊維素材を有する吸収層１４と、吸収層１４を幅方向に周回するように覆う液透過性の表面材１２とを備える。本実施形態におけるシート状部材である吸収部材１０の寸法は、例えば、長手方向全長が３０ｍｍから９０ｍｍ、幅方向全長が３０ｍｍから７０ｍｍの場合を例示できる。ここで、吸収部材１０はシート状であればよく、その平面形状は限定されない。例えば、吸収部材１０における平面形状として、正方形、長方形、楕円形等を例示することができる。ここで、タンポン用吸収体としては、吸収部材１０の長さを長くすることは、吸収接触長さ（吸収体と膣の内壁とが接触する長さ）が長くすることができ、漏れを軽減させることができるので好ましい。しかし、使用中に違和感を感じる原因となりやすいことから、図１又は図３に示すような矢羽状とすることが更に好ましい。すなわち、吸収部材１０の長さを長く伸ばしながらも、圧縮成型後にタンポン用吸収体の前端及び後端の両端において繊維量及び密度を下げることができるため違和感の発生を防止することができ、また、取り出すときの抵抗を減らすことができるので使用後に容易に引き抜くことができるので好ましい。
【００５６】
吸収層１４に用いられる吸収性繊維素材としては、例えば、コットン、レーヨンや合成繊維などの親水性繊維が用いられる。吸収層１４は、好ましくは、目付１５０ｇ／ｍ２から１５００ｇ／ｍ２、厚みが０．１ｍｍから０．９ｍｍ程度の繊維ウェブ、不織布又は織物を単数又は複数枚重ね、結果、好ましくは厚み１．０ｍｍから１５ｍｍ、より好ましくは２．０ｍｍから１０ｍｍとなったものが用いられる。繊維ウェブ、不織布としては、合成繊維シートのようなものをベースに、カードウェブ、エアレイ法、ウェッドレイド法などで成型されたものがある。なお、吸収層１４には、親水性繊維とともに疎水性繊維や、親水処理が施された疎水性繊維が混入されていてもよい。また、吸収層１４には高吸水性ポリマーなど、吸水機能を持った化合物が混入されていてもよい。
【００５７】
液透過性の表面材１２は、例えば、疎水性繊維で形成された不織布や開孔処理を施した開孔フィルム等により構成される。表面材１２に用られる不織布の種類としては特に限定されないが、例えば、スパンボンド不織布、スパンレース不織布、サーマルボンド不織布などが用いられ、また、不織布を構成する疎水性繊維としては特に限定されないが、例えば、ポリエステル、ポリプロピレン、ポリエチレンなどの各繊維が用いられる。不織布の目付は８ｇ／ｍ２から４０ｇ／ｍ２のものが好ましい。また、開孔フィルムとしては、例えば、ポリプロピレンやポリエチレンなどのポリオレフィン系フィルムが好ましい。
【００５８】
コード部材２０は、吸収部材１０の所定面に幅方向の略中心において長手方向に延びるよう当接配置されると共に糸部材３０により縫着される縫着部２５を備える。吸収部材１０の長手方向における長さよりも長いコード部材２０は、吸収部材１０の外縁から長手方向に延出する延出部２１を有する。
【００５９】
コード部材２０は、天然又は合成繊維により構成される紐、樹脂製のコード、所定径以上の糸、及び上述の複数の糸を縒り合わせて形成した複合糸等を用いることができる。タンポン用吸収体を構成する場合には、例えば、複数の木綿糸やポリエステル糸などの単糸を縒り合わせた複合糸を用いることができる。また、コード部材２０は、使用時に尿等の体外からの汚れ等が引き込まれることを防止するため、例えば、パラフィン付着加工等により撥水加工が施されていることが好ましい。そして、コード部材２０の長さは、例えば、吸収部材の長さが３０ｍｍから９０ｍｍであるとした場合には、１１０ｍｍから２５０ｍｍであることが好ましい。
【００６０】
図１に示すように、第１例におけるシート状構造体１のコード部材２０には、該コード部材２０に沿うように縫い部２４ａ、縫着部２５、縫い部２４ｂ及び非縫い部２２が形成される。また、図３に示すように、第２例におけるシート状構造体１のコード部材２０は、該コード部材２０に沿うように縫い部２４ａ、縫着部２５、縫い部２４ｂ、非縫い部２２及び縫い部２４ｃが形成される。ここで、非縫い部２２及び縫い部２４ｃは、延出部２１に形成される。また、縫い部２４ａ、縫い部２４ｂ、縫い部２４ｃ及び縫着部２５は糸部材３０を含み、非縫い部２２は糸部材３０を含まない。
【００６１】
縫着部２５は、コード部材２０がシート状部材である吸収部材１０と当接する当接部２３における全部又は一部に形成される。第１例及び第２例におけるシート状構造体１において、縫着部２５は、当接部２３の全部において形成される。
【００６２】
延出部２１には、上述の通り、糸部材３０を含まない非縫い部２２が形成される。つまり、縫着部２５を形成する糸部材３０は、延出部２１における自由端２６まで連続しないということである。
【００６３】
具体的には、図１に示すように、第１例におけるシート状構造体１の延出部２１には、縫着部２５と連続して該縫着部２５を形成する糸部材３０と同じ糸部材３０により所定長さの縫い部２４ｂが形成されるが、該縫い部２４ｂの縫着部２５側と反対側の端部から延出部２１の自由端２６までは、この一の糸部材３０による縫着処理がなされていない非縫い部２２が形成される。
【００６４】
また、図３に示すように、第２例におけるシート状構造体１における延出部２１には、第１例と同様に、縫着部２５と連続して縫い部２４ｂが形成される。そして、延出部２１における自由端２６及びその近傍には、一の糸部材３０で形成される縫い部２４ｃが形成される。この縫い部２４ｂと縫い部２４ｃとの間には、一の糸部材３０による縫着処理がなされていない非縫い部２２が形成される。つまり、縫い部２４ｂと縫い部２４ｃとは、非縫い部２２を挟んで離間する。また、縫い部２４ａと縫い部２４ｃとは、後述するシート状構造体１の製造システム及び製造方法で説明するように、所定範囲に形成された一の縫い部２８における所定位置で切断した場合の一方側と他方側の関係にある。
【００６５】
ここで、縫着部２５はコード部材２０とシート状部材である吸収部材１０とを縫着することで連結し一体化させる。縫い部２４ｃは、例えば、コード部材２０が複数の糸を縒り合わせて形成される場合、該複数の糸がばらけない様にまとめる機能を有する。
【００６６】
糸部材３０は、シート部材である吸収部材１０とコード部材２０とを縫着可能な材料で所定径より細い部材であれば良く、例えば、天然素材で形成される糸、合成繊維等の糸、細い針金等を例示できる。第１例及び第２例のシート状構造体１においては、例えば、木綿糸などの単糸を複数縒り合わせた糸を用いることができる。これらは必要に応じてパラフィン付着加工などによる撥水加工が施される。
【００６７】
ここで、図４に示すように、従来のシート状構造体１Ａは、コード部材２０における全長にわたり縫い部２４が形成される。これに対し、第１例のシート状構造体１におけるコード部材２０の全長Ｌ２に対する縫い部２４ａ、２４ｂ及び縫着部２５の全長は、２０％から９０％とすることができる。また、第２例のシート状構造体１におけるコード部材２０の全長Ｌ２に対する縫い部２４ａ、２４ｂ、２４ｃ及び縫着部２５の全長は、２０％から９０％とすることができる。
【００６８】
つまり、第１例及び第２例のシート状構造体１は、縫着部２５を形成する糸部材３０が自由端２６まで連続していないことによる液体の伝え漏れを抑制できると共に、糸部材３０の抜け等を抑制できる。更に、該シート状構造体１に用いる糸部材３０の使用量を抑制することができる。例えば、図４に示す従来のシート状構造体１Ａと比較した場合には、糸部材３０の使用量を従来の約２０から９０％に低減することができる。
【００６９】
これにより、まず、コスト面のメリットがある。つまり、糸部材３０のコストが低減される。また、糸部材３０の使用量が低減されることからシート状構造体１の軽量化を図ることができる。更に、縫着処理を大幅に少なくすることができるので製造工程おいて大きなメリットがある。
【００７０】
具体的には、縫着処理にかかる時間を短縮することができるので製造時間を短縮することができる。これにより、生産性を大幅に向上させることができる。例えば、図４に示す従来のシート状構造体１Ａの生産性に対して、約１１０から４００％に生産性を向上させることができる。
【００７１】
また、短縮される時間の分だけ縫着処理又は他の処理の時間を長くしてより丁寧にすることでシート状構造体における品質を向上させることができる。
【００７２】
更には、後述する製造システム２等により製造する場合には、従来に比べて製造ラインを短くすることができる。
【００７３】
「１．１．２」製造システムの概要
図５に示すように、第１実施形態におけるシート状構造体１の製造システム（装置）２は、コード部材繰り出し手段であるコード部材繰り出し部４０と、弛み部形成手段である弛み部形成部５０と、配置手段である配置部６０と、縫着手段であるミシン部３５と、糸部材切断手段である糸部材用カッター７０と、コード部材切断手段であるコード部材用カッター８０と、を備える。
【００７４】
［１．２］コード部材繰り出し手段
コード部材繰り出し手段であるコード部材繰り出し部４０は、コード部材２０を所定方向Ｓに繰り出す。コード部材２０は、コード部材繰り出し部４０において、略円筒状に巻かれた状態で収納される。そして、該円筒における円筒軸を中心に該円筒を回転させることでコード部材２０を繰り出すことができる。コード部材繰り出し部４０から繰り出されるコード部材２０の長さは、該円筒の回転速度等を変速モータ等により調整することで、調整することができる。
【００７５】
［１．３］弛み部形成手段
弛み部形成手段である弛み部形成部５０は、コード部材繰り出し部４０から所定方向Ｓに繰り出された一のコード部材２０に、所定方向Ｓと略直交する方向Ｔに突出する略Ｕ字状である弛み部５を複数形成する。そして、複数の弛み部５のそれぞれを繋ぐ略直線状の直線部６を複数形成する。
【００７６】
図６から図８により、弛み部形成部５０について更に説明する。図６に示すようにコード部材繰り出し部４０から繰り出されたコード部材２０は、可動ガイド５１と固定ガイド５３との間に配置される。初期状態における可動ガイド５１と固定ガイド５３は、コード部材２０を挟んで一方側と他方側に配置される。
【００７７】
複数の固定ガイド５３は、方向Ｓに沿って略直線的に配置される。複数の固定ガイド５３は、間隔Ｌと間隔Ｍとが交互に形成されるように配置される。この間隔Ｌは、直線部６や縫着部２５や縫い部２４ｃの長さに基づいて設定され、間隔Ｍは、可動ガイド５１の径や弛み部５の長さに基づいて設定される。
【００７８】
可動ガイド５１は、方向Ｓにおいて固定ガイド５３とは重ならない位置に配置される。具体的には、方向Ｓにおいて、所定の固定ガイド５３とこれに隣接する固定ガイド５３との間に配置される。
【００７９】
そして、可動ガイド５１は、方向Ｓと略直交する方向である方向Ｔに移動して、コード部材２０において方向Ｔに突出する略Ｕ字状の弛み部５を形成する。図１又は図３における弛み部５の長さＬ５は、図６における間隔Ｍ、間隔Ｎや可動ガイド５１の径により調整される。
【００８０】
図５に示すように、弛み部形成部５０は、所定の固定ガイド５３とこれに隣接する固定ガイド５３との間に形成される直線部６を複数形成する。そして、複数の直線部６は、方向Ｓ沿って略直線状に配置される。そして、縫着手段であるミシン部３５により該直線に沿って縫着処理することで、それぞれの直線部６における吸収部材１０と当接する当接部２３において縫着部２５を形成することができる。また、直線部６を全長にわたり縫着処理することで、図１又は図３における縫い部２４ａ、２４ｂ、２４ｃも連続的に形成することができる。
【００８１】
図６における間隔Ｌを、図３におけるシート部材である吸収部材１０の長さであるＬ１よりも長くすることで、縫い部２４ｃを形成することができる。つまり、コード部材２０における吸収部材１０から延出する部分も縫着処理をすることで、所定長さの縫い部２８が形成される。この所定長さの縫い部２８における所定部をコード部材切断手段であるコード部材用カッター８０により切断することで、所定のシート状構造体１における縫い部２４ａと、該所定のシート状構造体１に隣接するシート状構造体１における延出部２１の自由端２６に縫い部２４ｃを形成することできる。
【００８２】
［１．４］配置手段
配置手段である配置部６０は、弛み部形成手段である弛み部形成部５０により形成される複数の直線部６のそれぞれに、複数の吸収部材１０のそれぞれを当接可能に配置する。具体的には、図５に示すように、連続的に配置される複数のシート部材である吸収部材１０を、それぞれ不図示のコンベア等により矢印６１の方向に移動させ、固定ガイド５３とこれに隣接する固定ガイド５３との間に形成される直線部６の下面側に該直線部６と当接するように配置する。
【００８３】
［１．５］縫着手段
縫着手段であるミシン部３５は、配置部６０により配置される複数のシート部材である吸収部材１０のそれぞれと、当接可能に配置される複数の直線部６のそれぞれとを一の糸部材３０で縫着する。具体的には、図５及び図９に示すように、弛み部形成部５０により形成されると共に略直線状に並ぶように配置された複数の直線部６の上面から、配置部６０により複数の直線部６のそれぞれに当接するように配置された複数の吸収部材１０を縫着する。
【００８４】
具体的には、複数の直線部６を固定されたミシン部３５における縫着位置に、該複数の直線部６が形成する直線に沿って連続的に送り出す。ミシン部３５による縫着処理は、一の糸部材３０により連続して行われる。これにより、直線部６における吸収部材１０との当接部２３に縫着部２５、コード部材２０に図１又は図３における縫い部２４ａ、２４ｂ、２４ｃを形成する。更に、所定の吸収部材１０と該所定の吸収部材１０に隣接する他の吸収部材１０とを繋ぐように形成される一の糸部材３０の一部である糸連結部３７が形成される。
【００８５】
［１．６］糸部材切断手段
糸部材切断手段である糸部材用カッター７０は、縫着手段であるミシン部３５により複数の直線部６のそれぞれが縫着された複数の吸収部材１０と、該吸収部材１０に隣接する他の吸収部材１０とを繋ぐように形成される一の糸部材３０の一部である糸連結部３７を切断する。
【００８６】
糸部材用カッター７０としては、各種カッター部材を用いることができる。例えば、不図示のローラ状カッター部材を用いることができる。該糸部材用カッター７０により糸連結部３７を構成する糸部材３０を切断することで、各吸収部材１０の間隔を調整することができ、コード連結部２７を形成するコード部材２０を略直線状に延ばすことが可能となる。ここで、糸部材切断手段及び後述のコード部材切断手段を同一のカッターとして、糸部材３０とコード部材２０とを同時に切断するよう構成することができる。この場合、コード部材２０は弛んだ状態で切断される。
【００８７】
［１．７］コード部材切断手段
コード部材切断手段であるコード部材用カッター８０は、複数の吸収部材１０における所定の吸収部材１０と該所定の吸収部材１０に隣接する吸収部材１０とを繋ぐように形成される一のコード部材２０の一部であるコード連結部２７を所定の位置で切断する。すでに、糸部材用カッター７０で糸連結部３７を構成する糸部材３０を切断しているので、所定の吸収部材１０とこれに隣接する吸収部材１０との間の距離を長くすると共に、コード連結部２７を略直線状に伸ばすことができるので、コード連結部２７を略直線状の伸ばした状態でコード部材２０を切断することができる。
【００８８】
具体的には、図１０に示すように、糸部材用カッター７０で糸連結部３７を構成する糸部材３０を切断した後、可動ガイド５１を方向Ｔ´に移動させる。更に、固定ガイド５３の方向Ｓにおける移動速度を速くすることで、弛み部５を略直線状に伸ばすことができる。このように弛み部５を略直線状に、好ましくは連続する直線部６も含めて略直線状に伸ばすことにより、延出部２１の長さ等を好適に調整することができる。
【００８９】
［１．８］シート部材形成手段
本実施形態におけるシート部材である吸収部材１０は、所定の液吸収性の吸収層１４と、吸収層１４を薄膜状の表面材１２で被覆したシート状の吸収部材１０である。本実施形態におけるシート状構造体の製造システム２は、不図示の吸収層１４を薄膜状の表面材１２で被覆するシート部材形成手段を備えることができる。シート部材形成手段としては、例えば、所定形状の吸収層１４を、該吸収層１４の短手方向の外周よりも長い幅の表面材１２により包むように被覆する所定の装置等を例示できる。
【００９０】
更には、略帯状の吸収層１４を、該吸収層１４の短手方向の外周面よりも長い幅の表面材１２により包むように被覆する装置と、表面材１２が吸収層１４の表面を被覆した状態で加熱・加圧処理することで表面材１２と吸収層１４とを擬似的に一体化させると共に略シート状に成形する所定のエンボスロール等の装置と、吸収部材１０の原料である該帯状の吸収部材を所定形状に切断する装置と、を組み合わせて複数の吸収部材１０を形成することを可能にすることができる。
【００９１】
［１．９］その他
ここで、本実施形態におけるシート状構造体１をタンポン用の吸収体として使用する場合には、吸収部材１０を所定のアプリケータに挿入可能な形状に圧縮する不図示の圧縮手段を更に備えることができる。
【００９２】
［２］第２実施形態
図１１に示すように、第２実施形態におけるシート状構造体の製造システム２Ａは、図３におけるシート状構造体１を製造するシステムである。具体的には、延出部２１の自由端２６に縫い部２４ｃが形成されるシート状構造体１である。
【００９３】
第２実施形態におけるシート状構造体の製造システム２Ａは、第１実施形態におけるシート状構造体の製造システム２と類似するが、直線部６の長さＬが異なる。具体的には、第２実施形態の製造システム２における直線部６の長さＬの方が、第１実施形態の製造システム２Ａにおける直線部６の長さＬの方が長くなるように設定されている。
【００９４】
つまり、第２実施形態において、直線部６の長さＬは吸収部材１０における長さＬ１よりも所定長さだけ長く設定されているので、吸収部材１０の一方側に縫い部２８が形成される。
【００９５】
そして、所定の吸収部材１０とこれに隣接する吸収部材１０とを繋ぐように形成されるコード連結部２７における縫い部２８の所定部を、コード部材切断手段であるコード部材用カッター８０により切断することで、延出部２１の自由端２６側に縫い部２４ｃが形成されたシート状構造体１を得ることができる。ここで、他の手段等に関しては、第１実施形態における記載を援用できる。
【００９６】
［３］第３実施形態
図１２に示すように、第３実施形態におけるシート状構造体の製造システム２Ｂは、図１におけるシート状構造体１を製造するシステムである。
【００９７】
第３実施形態におけるシート状構造体の製造システム２Ｂは、第１実施形態におけるシート状構造体の製造システム２と類似するが、吸収部材１０の向きが異なる。具体的には、第１実施形態の製造システム２における吸収部材１０は矢羽状の凸部側が進行方向である方向Ｓ側に向いた状態で所定の処理がなされるが、第３実施形態の製造システム２Ｂにおける吸収部材１０は矢羽状の凸部が進行方向である方向Ｓと反対の方向を向いた状態で所定の処理がなされる。
【００９８】
また、所定の吸収部材１０とこれに隣接する吸収部材１０とを繋ぐように形成されるコード連結部２７における、コード部材切断手段であるコード部材用カッター８０により切断される位置が異なる。第１実施形態においては吸収部材１０における方向Ｓと反対側の外縁近傍を切断しているが、第３実施形態においては吸収部材１０における方向Ｓ側の外縁近傍を切断している。ここで、他の手段等に関しては、第１実施形態における記載を援用できる。
【００９９】
［４］第４実施形態
図１３に示すように、第４実施形態におけるシート状構造体の製造システム２Ｃは、図３におけるシート状構造体１を製造するシステムである。延出部２１の自由端２６に縫い部２４ｃが形成されるシート状構造体１である。
【０１００】
第４実施形態におけるシート状構造体の製造システム２Ｃは、第２実施形態におけるシート状構造体の製造システム２Ａと類似するが、吸収部材１０の向きが異なる。具体的には、第２実施形態の製造システム２Ａにおける吸収部材１０は矢羽状の凸部側が進行方向である方向Ｓ側に向いた状態で所定の処理がなされるが、第４実施形態の製造システム２Ｃにおける吸収部材１０は矢羽状の凸部が進行方向である方向Ｓと反対の方向を向いた状態で所定の処理がなされる。
【０１０１】
また、所定の吸収部材１０とこれに隣接する吸収部材１０とを繋ぐように形成されるコード連結部２７における、コード部材切断手段であるコード部材用カッター８０により切断される位置が異なる。第２実施形態においては吸収部材１０における方向Ｓと反対側の外縁近傍を切断しているが、第４実施形態においては吸収部材１０における方向Ｓ側の外縁近傍を切断している。ここで、他の手段等に関しては、第１実施形態における記載を援用できる。
【０１０２】
［５］製造方法
本発明の製造方法は、所定形状のシート部材と、所定の糸部材によりシート部材の所定面に縫着されると共に所定面の外縁から延出し所定の糸部材を含まない非縫い部が形成される延出部を有するコード部材と、を備えるシート状構造体の製造方法は、所定方向に繰り出された一のコード部材に所定方向とは異なる方向に突出する略Ｕ字状である弛み部を複数形成すると共に複数の弛み部のそれぞれを繋ぐ略直線状の直線部を複数形成する弛み部形成工程と、弛み部形成工程により形成される複数の直線部のそれぞれに、複数のシート部材のそれぞれを当接可能に配置する配置工程と、配置工程により配置される複数のシート部材のそれぞれと、複数のシート部材のそれぞれに当接可能な複数の直線部のそれぞれとを一の糸部材で縫着する縫着工程と、縫着工程により複数の直線部のそれぞれが縫着された複数のシート部材における所定のシート部材と所定のシート部材に隣接する他のシート部材とを繋ぐように形成される一の糸部材の一部である糸連結部を切断する糸部材切断工程と、複数のシート部材における所定のシート部材と該所定のシート部材に隣接するシート部材とを繋ぐように形成される一のコード部材の一部であるコード連結部を所定の位置で切断するコード部材切断工程と、を備える。
【０１０３】
本発明における製造方法により製造される対象は、所定形状のシート部材と、所定の糸部材によりシート部材の所定面に縫着されると共に所定面の外縁から延出し所定の糸部材を含まない非縫い部が形成される延出部を有するコード部材と、を備えるシート状構造体である。該シート状構造体におけるシート部材は、略シート状の部材であって、所定の糸部材によりコード部材を縫着可能な材料で構成されていれば良く、例えば、布部材、ラバー部材や、上述したタンポン用吸収部材を構成するシート状の吸収部材を例示できる。このシート部材に縫着されるコード部材は、シート部材に縫着可能な材料で構成されていれば良く、例えば、天然又は合成繊維により構成される紐、樹脂製のコード、所定径以上の糸や上述の複数の糸を縒り合わせて形成した複合糸等を例示できる。また、糸部材は、シート部材とコード部材とを縫着可能な材料で形成され、かつ所定径より細い部材であれば良く、例えば、天然素材で形成される糸、合成繊維等の糸、細い針金等を例示できる。
【０１０４】
弛み部形成工程、例えば、糸部材が巻回された糸供給部から所定方向に繰り出された一のコード部材に、この所定方向とは異なる方向に突出する略Ｕ字状である弛み部を複数形成する。そして、この形成された複数の弛み部のそれぞれを繋ぐ略直線状の直線部を複数形成する。これら形成された弛み部がシート状構造体における延出部となり、直線部がシート部材に縫着される部分となる。
【０１０５】
配置工程は、弛み部形成工程により形成される複数の直線部のそれぞれに、複数のシート部材のそれぞれを当接可能に配置する。このように配置することで、後述の縫着工程により連続的に縫着することができる。
【０１０６】
縫着工程は、配置工程により配置される複数のシート部材のそれぞれと、複数のシート部材のそれぞれに当接可能な複数の直線部のそれぞれとを一の糸部材で縫着する。例えば、所定のミシンにより、シート部材に当接されたコード部材に沿って次々に縫着することで、シート部材とコード部材を縫着すると共に、弛み部におけるコード部材は縫着しない。これにより、延出部になる弛み部を構成するコード部材に非縫い部を形成することができる。
【０１０７】
糸部材切断工程は、縫着工程により複数の直線部のそれぞれが縫着された複数のシート部材における所定のシート部材と所定のシート部材に隣接する他のシート部材とを繋ぐように形成される一の糸部材の一部である糸連結部を切断する。更に、コード部材切断工程は、複数のシート部材における所定のシート部材と該所定のシート部材に隣接するシート部材とを繋ぐように形成される一のコード部材の一部であるコード連結部を所定の位置で切断する。ここで、糸部材切断工程とコード部材切断工程とは、工程における先後は問わず又同時でも良い。例えば、糸部材切断工程における糸部材切断手段及びコード部材切断工程におけるコード部材切断手段を同一のカット部とし、糸連結部及びコード連結部を同時に切断することができる。
【０１０８】
糸部材切断工程又はコード部材切断工程における切断は、例えば、所定のカッター部材や、所定面に凸状の刃が形成されたロール部材等による切断を例示できる。
【０１０９】
本発明の製造方法は、コード部材を所定方向に繰り出すコード部材繰り出し工程と、を更に備える。これにより、連続して糸部材を所定方向に供給することができる。
【０１１０】
本発明の製造方法は、弛み部形成工程が、複数の直線部を所定間隔で略直線状に並んで配置させる。これにより、縫着工程による縫着処理を簡易にすることができる。
【０１１１】
本発明の製造方法は、縫着工程が、一の糸部材により、弛み部形成工程により所定間隔で略直線状に並んで配置された複数の直線部それぞれを、複数の直線部が形成する直線に沿うように複数のシート部材それぞれに連続して縫着する。これにより、縫着工程による縫着処理を簡易にすることができると共に、正確な縫着を継続して行うことができる。
【０１１２】
本発明の製造方法は、コード部材切断工程が、コード連結部を略直線状に伸ばす工程を含む。これにより、コード連結部を構成するコード部材を切断しやすくなると共に、コード連結部により形成される延出部の長さを一定にすることができる。また、延出部の長さを調整することもできる。
【０１１３】
本発明の製造方法は、シート状構造体が、延出部の自由端側に形成され所定の糸部材を含む縫い部と、を更に備える。そして、弛み部形成工程は、複数の直線部のそれぞれの所定方向への長さを、配置工程により複数の直線部のそれぞれに当接可能に配置された複数のシート部材のそれぞれにおける所定方向の長さよりも長くする。これにより、直線部にシート部材を当接するように配置した状態で、縫着工程により直線部に沿って縫着処理することで、コード部材をシート部材に縫着すると共に、該直線部におけるシート部材から延出する部分にも所定の糸部材により縫着処理された部分を形成することができる。そして、その縫着処理された部分における所定部を切断することで、該シート部材に隣接するシート部材の延出部における自由端側に所定の糸部材を含む縫い部を形成することができる。
【０１１４】
本発明の製造方法は、シート部材が所定の液吸収性の吸収層と吸収層を薄膜状の表面材で被覆したシート状の吸収部材であって、吸収層を表面材で被覆するシート部材形成工程と、を更に備える。これにより、例えば、繊維状の吸収層を該繊維状の吸収層がばらけない様に表面材で被覆することでシート状に形成し、該シート状に形成されたシート状の吸収部材に上述のコード部材等を縫着することができる。
【０１１５】
ここで、本発明のシート状構造体の製造方法は、上述したシート状構造体の製造システム（装置）により実施することができる。その場合の各工程における各手段の内容や動作等は、上述のシート状構造体の製造システムの説明に示す通りである。
【０１１６】
また、本発明の製造システム又は製造方法は、衣類、カバー類、テント、及びタンポン用吸収体等のシート状構造体の製造において使用することが可能である。
【図面の簡単な説明】
【０１１７】
【図１】第１例のシート状構造体における平面図である。
【図２】図１におけるＸ―Ｘ´断面図である。
【図３】第２例のシート状構造体における平面図である。
【図４】従来のシート状構造体における平面図である。
【図５】本発明の第１実施形態における製造システムを説明する図である。
【図６】図５における領域Ａの拡大図である。
【図７】図６における弛み部が形成される過程を説明する図である。
【図８】図６で示される領域Ａの斜視図である。
【図９】図５における領域Ｂの拡大図である。
【図１０】図５における領域Ｃの拡大図である。
【図１１】本発明の第２実施形態における製造システムを説明する図である。
【図１２】本発明の第３実施形態における製造システムを説明する図である。
【図１３】本発明の第４実施形態における製造システムを説明する図である。
【符号の説明】
【０１１８】
１      シート状構造体
２      製造システム
５      弛み部
６      直線部
１０    吸収部材
２０    コード部材
２１    延出部
２４ａ  縫い部
２４ｂ  縫い部
２５    縫着部
２７    コード連結部
３０    糸部材
３５    ミシン部
３７    糸連結部
４０    コード部材繰り出し部
５０    弛み部形成部
６０    配置部
７０    糸部材用カッター
８０    コード部材用カッター
【図１】
2007202750.tif 000003
【図２】
2007202750.tif 000004
【図３】
2007202750.tif 000005
【図４】
2007202750.tif 000006
【図５】
2007202750.tif 000007
【図６】
2007202750.tif 000008
【図７】
2007202750.tif 000009
【図８】
2007202750.tif 000010
【図９】
2007202750.tif 000011
【図１０】
2007202750.tif 000012
【図１１】
2007202750.tif 000013
【図１２】
2007202750.tif 000014
【図１３】
2007202750.tif 000015